(57)【要約】      （修正有）【課題】授乳用クッションや抱き枕や乳幼児用クッション等として用いることができ、夫々の用途に求められる効果を的確に実現できる汎用クッションを提供する。【解決手段】ビーズの集積体が充填された内袋と該内袋を被覆する外袋３からなり、全体が弧状で中央部１１が膨出され、左端部１２と右端部１３がやや膨出され、内袋も外袋も中央部正面に中央シート３３等を有する夫々３枚のシートからなり、左右両端部を連結する長さ可変の連結手段を不要時に格納するポケット７を有する汎用クッションを提供する。【選択図】図１
0003149141.tif 000002
【実用新案登録請求の範囲】
【請求項１】
クッション材が充填された内袋と該内袋を被覆する外袋からなる、多用途に用いることができる汎用クッションにおいて、
弧状をなす本体の長手方向を水平面に平行に位置させて弧状の本体の凹んでいる側を正面とした場合に、中央部が膨出され、左端部と右端部が夫々やや膨出された半球形状をなし、中央部と左端部の間に括れ部を有し、中央部と右端部の間に括れ部を有し、
内袋が、中央部が広く中央部から延伸された左端部と右端部が夫々半円状をなす内袋上部シートと、該内袋上部シートと対称形に構成された内袋下部シートと、内袋上部シートと内袋下部シートの中間に配される眼形状の内袋中央シートの３部材からなり、
内袋中央シートの上辺が内袋上部シートの正面辺に縫着され、内袋中央シートの下辺が内袋下部シートの正面辺に縫着され、
内袋上部シートの内袋中央シートに縫着されていない辺が内袋下部シートの内袋中央シートに縫着されていない辺に縫着されて全体が一体の袋状となり、内部にクッション材が充填され、
外袋が、中央部が広く中央部から延伸された左端部と右端部が夫々半円状をなす外袋上部シートと、該外袋上部シートと対称形に構成された外袋下部シートと、外袋上部シートと外袋下部シートの中間に配される眼形状の外袋中央シートの３部材からなり、
外袋中央シートの上辺が外袋上部シートの正面辺に縫着され、外袋中央シートの下辺が外袋下部シートの正面辺に縫着され、
外袋上部シートの外袋中央シートに縫着されていない辺の一部が外袋下部シートの外袋中央シートに縫着されていない辺の一部に縫着されて全体が一体の袋状となり、
外袋上部シートの外袋中央シートにも外袋下部シートにも縫着されていない辺と外袋下部シートの外袋中央シートにも外袋上部シートにも縫着されていない辺が夫々相対する位置にあってこの部分に外袋開閉手段が設けられ、
外袋の左端部と右端部の夫々に該両端部を連結するための長さ可変且つ着脱自在の連結手段を装着するための連結手段装着部が設けられ、
外袋の一部に左端部と右端部を連結するための連結手段を格納するための連結手段格納部が設けられ、
クッション材が、直径が１ｍｍ以下の合成樹脂製の複数のビーズの集積体であることを特徴とする汎用クッション。
【請求項２】
外袋の左端部の連結手段装着部に連結手段の左端が装着され、外袋の右端部の連結手段装着部に連結手段の右端が装着されることにより、外袋の左端部と右端部が連結された状態となっていることを特徴とする請求項１に記載の汎用クッション。
【請求項３】
外袋開閉手段がファスナであり、連結手段装着部が紐状ループ部材であり、連結手段格納部が外袋の一部に設けられたポケットであることを特徴とする請求項１に記載の汎用クッション。
【請求項４】
外袋開閉手段がファスナであり、連結手段装着部が紐状ループ部材であり、連結手段格納部が外袋の一部に設けられたポケットであり、長さ可変且つ着脱自在の連結手段が、複数のホック部材が縫着されたゴム入りバンドであることを特徴とする請求項２に記載の汎用クッション。
【考案の詳細な説明】
【技術分野】
【０００１】
本考案は、汎用クッションに関するものであり、さらに詳しくは、以下の構成の汎用クッションに関するものである。
＜構成１＞
クッション材が充填された内袋と該内袋を被覆する外袋からなる、多用途に用いることができる汎用クッションにおいて、
弧状をなす本体の長手方向を水平面に平行に位置させて弧状の本体の凹んでいる側を正面とした場合に、中央部が膨出され、左端部と右端部が夫々やや膨出された半球形状をなし、中央部と左端部の間に括れ部を有し、中央部と右端部の間に括れ部を有し、
内袋が、中央部が広く中央部から延伸された左端部と右端部が夫々半円状をなす内袋上部シートと、該内袋上部シートと対称形に構成された内袋下部シートと、内袋上部シートと内袋下部シートの中間に配される眼形状の内袋中央シートの３部材からなり、
内袋中央シートの上辺が内袋上部シートの正面辺に縫着され、内袋中央シートの下辺が内袋下部シートの正面辺に縫着され、
内袋上部シートの内袋中央シートに縫着されていない辺が内袋下部シートの内袋中央シートに縫着されていない辺に縫着されて全体が一体の袋状となり、内部にクッション材が充填され、
外袋が、中央部が広く中央部から延伸された左端部と右端部が夫々半円状をなす外袋上部シートと、該外袋上部シートと対称形に構成された外袋下部シートと、外袋上部シートと外袋下部シートの中間に配される眼形状の外袋中央シートの３部材からなり、
外袋中央シートの上辺が外袋上部シートの正面辺に縫着され、外袋中央シートの下辺が外袋下部シートの正面辺に縫着され、
外袋上部シートの外袋中央シートに縫着されていない辺の一部が外袋下部シートの外袋中央シートに縫着されていない辺の一部に縫着されて全体が一体の袋状となり、
外袋上部シートの外袋中央シートにも外袋下部シートにも縫着されていない辺と外袋下部シートの外袋中央シートにも外袋上部シートにも縫着されていない辺が夫々相対する位置にあってこの部分に外袋開閉手段が設けられ、
外袋の左端部と右端部の夫々に該両端部を連結するための長さ可変且つ着脱自在の連結手段を装着するための連結手段装着部が設けられ、
外袋の一部に左端部と右端部を連結するための連結手段を格納するための連結手段格納部が設けられ、
クッション材が、直径が１ｍｍ以下の合成樹脂製の複数のビーズの集積体であることを特徴とする汎用クッション。
＜構成２＞
外袋の左端部の連結手段装着部に連結手段の左端が装着され、外袋の右端部の連結手段装着部に連結手段の右端が装着されることにより、外袋の左端部と右端部が連結された状態となっていることを特徴とする構成１に記載の汎用クッション。
＜構成３＞
外袋開閉手段がファスナであり、連結手段装着部が紐状ループ部材であり、連結手段格納部が外袋の一部に設けられたポケットであることを特徴とする構成１に記載の汎用クッション。
＜構成４＞
外袋開閉手段がファスナであり、連結手段装着部が紐状ループ部材であり、連結手段格納部が外袋の一部に設けられたポケットであり、長さ可変且つ着脱自在の連結手段が、複数のホック部材が縫着されたゴム入りバンドであることを特徴とする構成２に記載の汎用クッション。
【背景技術】
【０００２】
従来から、抱き枕としても使え、授乳用クッションとしても用いることができ、さらに乳幼児用のクッションとしても使えるといったような、汎用性のあるクッションの発明・考案は、多数開示されてきた。例えば下記特許文献１、３、４、８に示す発明・考案のようなものがその例として挙げられる。
【０００３】
しかしながら、汎用性を有するとはいえ、各種の用例に亘って、夫々に十分な効果を挙げ得る発明・考案はなかなか見当たらない。例えば、下記特許文献１の発明は、「授乳その他の用途に使用する腰部支持体を有する支持枕」という名称であり、確かに腰部に巻回して使用するにあたっては各種の効果を有しているものの、抱き枕やクッションとしては使えないし、また、腰部に巻回して使用する場合にても、用途に応じて本体部分に細かい構成の変化があり、本体の構成を変えることなく各種用途に汎用性を有するというものではない。  
【０００４】
また、下記特許文献３の「抱き蒲団」は、抱き枕になったり、普通の枕になったり、クッションになったりする旨が記載されているが、本質的には単なる丸棒型クッションであって、丸棒型クッションを使用者が各種の用途に用いることができるというだけであり、実質的な意味で汎用性を有するとはいえない。同様に、下記特許文献４の「寝袋収納袋」も、折りたたんだ寝袋をクッション材として用いる円筒形状のクッションであって、やはり実質的な意味で汎用性を有する発明とは言い難い。
【０００５】
さらに、下記特許文献８の「多機能抱き枕」においては、授乳用クッションとして、また乳幼児用クッションとして、さらに乳幼児用寝具として用いることができる旨が開示されているが、実体は、やはり単純な紡錘形状のクッションであり、展開して蒲団状にもできるという考案である。したがって、これもまた、十分に有効な汎用性を示すものであるとはいえない。要するに、以上の発明・考案は、汎用性を謳うものの、実際には、夫々の用途において、十分な効果を挙げ得ないものである。以下、その理由を記す。
【０００６】
抱き枕は、通常細長い形のクッションであると言えるので、これを腰に巻くことは可能である。そこで、これを腰に巻いて両端をなんらかの連結手段によって連結すれば、すなわち授乳用クッションになるかといえば、そのように単純なものではない。これを授乳用クッションとして効果的に用いるためには、次の点が肝要である。
【０００７】
すなわち、乳幼児を載置する本体の上面部分、つまりクッション本体の中央部上面が盛り上がって、乳幼児の身体を支えると共に、乳幼児の顔が自然に母親の乳房に当接するような構成になっている必要がある。このような構成になっていない限り、結局母親は、乳幼児の体躯を両手で抱え上げて乳幼児の顔が乳房に当接するように支持しなければならず、これでは授乳用クッションとしての十分な効果を果たしているとはいえない。
【０００８】
下記特許文献３、４、８に記載の発明・考案においては、単に円柱形状あるいは円筒形状あるいは紡錘形状のクッションを腰部に巻回させるだけなので、結局上記の様な理由から、授乳用クッションとしては、実際上は役に立たないものといわねばならない。また、下記特許文献１の支持枕においては、授乳用クッションとして用いる場合には、盛り上がり部分を設けたり（図７）あるいは小さな枕を添加したり（図８）して、上記機能が果たされるように構成するが、このように、本体の基本的な構成に特別の構成を付加してしまえば、それは汎用性を有するとは言い難いものとなってしまう。
【０００９】
またさらに、授乳用クッションの構成においては、腰部に巻回させたクッション本体の両端部を背中にて連結するための連結手段が重要な要素となってくる。この連結手段にても、母親の腰部のサイズは人によって違うので、ある程度の範囲にて、その長さを変えられるように構成しておかなければ実用性があるとはいえない。しかるに、このように、連結手段の長さを変えられるという構成要件は既に公知技術であって、下記特許文献１、４、５、６に開示されている。
【００１０】
確かに、授乳用クッションとしての専用用途であれば、連結手段においては、その長さが変えられるようになっていれば、その役割を十分に果たすことができるものである。しかしながら、さらに、汎用性ということを考えた場合、抱き枕としての使用や乳幼児用クッションとしての使用においては、連結手段は不要であるばかりか、使用に際してはかえって邪魔になってしまう。したがって、連結手段を用途に応じて着脱自在としなければ、本当の意味で汎用性を有するとは言えないわけであるが、このような構成を有する特許文献あるいは非特許文献は、調査の範囲内にては発見できなかった。
【００１１】
次に、本体に充填されるクッション材に言及するなら、汎用性を実現するための最適なクッション材として、直径１ｍｍ以下の合成樹脂（通常ポリスチレンやポリエチレンを使用）からなる、所謂「極小ビーズ」を用いた「ビーズクッション」といわれるタイプのものを挙げることができる。
【００１２】
通常クッション素材として用いられる弾性体（ウレタンフォームなどで構成）の場合には、可塑性を有するとはいえ、形状がある程度固定されてしまうので、自由な変形には対応できず、汎用性の実現には向いていない。しかるに、ビーズの集積体をクッション材として用いる場合には、より自由な変形への適応力が期待される。
【００１３】
ビーズの集積体自体には定型がなく、充填される内袋の形状によってその凡その形状が定まってくるのであるが、１つ１つのビーズは原則的に内袋の中で移動が自由であるので、クッション全体の形状の自由度は、例えばウレタンフォームなどの場合と比較すればかなり大きくなる。このようなビーズの集積体をクッション材として用いた例として、下記特許文献２、３、７が挙げられる。
【００１４】
しかるに、下記特許文献２、３、７においては、ビーズの集積体の重要な特性である「形状の自由度」を謳うものではなく、ビーズの集積体の他の特性、例えば無反発性とか蓄熱性が少ないとか、彩色した場合の外観の面白さとか固形クッション材とは異なった感触の面白さをその効果として挙げるものであって、結局「汎用性」につながる技術内容を開示しているものは見られなかった。
【００１５】
実際問題として、例えば円盤状のクッションのクッション材としてビーズの集積体を用いれば、座る人の位置によって凹み具合が変化したりするが、このような変化は、「汎用性」につながる形状の自由度とはあまり関係がなく、「汎用性」を追及する分野においては、なぜかビーズの集積体の特性を生かしきれていないのが現状である。
【００１６】
その理由としては、結局、クッション全体の縫製の問題が挙げられる。すなわち、単純な縫製による単純な形状のクッションでは、荷重によって凹む箇所が違うくらいで、クッション材をビーズの集積体にしたところで、「汎用性」につながる形状の自由度は得られず、結局ビーズの集積体の重要な特性を生かしきることができないということが明らかになってきたのである。ビーズの集積体の特性を「汎用性」につなげるためには、やはり縫製自体にもそのための工夫が必要になってくるのである。
【特許文献１】特表平１０−５０９３５７号公報
【特許文献２】特開平１１−１１３７０７号公報
【特許文献３】特開２００１−１９０３８４号公報
【特許文献４】特開２００２−１７９０８３号公報
【特許文献５】特開２００５−２４５９２０号公報
【特許文献６】特開２００６−２１８００９号公報
【特許文献７】特開２００８−１８８１５７号公報
【特許文献８】実用新案登録第３１３９７９１号公報
【考案の開示】
【考案が解決しようとする課題】
【００１７】
上記より、本考案の解決すべき課題を、次のように設定した。
＜課題１＞
授乳用クッションとして用いた際には乳幼児の顔が自然に母親の乳房に当接するようにクッション本体の中央部上面が自然に盛り上がり、抱き枕として使用する際には上記盛り上がりが自然に消失される等、夫々の用途に完全に適合するように形状が変化する、本来の意味での汎用性を有するクッションであること。
＜課題２＞
夫々の用途に適合する形状の変化が、本体形状の基本構成に別種の構成を付加したりせず、本体形状の基本構成のままで夫々の用途に適合する形状の変化が、簡単に行われるような構成の汎用性を有するクッションであること。
＜課題３＞
授乳用クッションとして用いる場合に使用される本体両端部の連結手段が、長さが可変であるに留まらず、他の用途に用いる場合には、クッション本体から着脱自在であり、しかも取り外した連結手段を紛失しないような構成の汎用性を有するクッションであること。
＜課題４＞
クッション材としてビーズの集積体を用いるが、ビーズの集積体の重要な特性である変形の自由度が、夫々の用途において最大限に活かされるような本体構成を有する、汎用性を有するクッションであること。
【課題を解決するための手段】
【００１８】
本考案は、上記課題を解決するために、下記の解決手段を提供するものである。
＜解決手段１＞
クッション材が充填された内袋と該内袋を被覆する外袋からなる、多用途に用いることができる汎用クッションにおいて、
弧状をなす本体の長手方向を水平面に平行に位置させて弧状の本体の凹んでいる側を正面とした場合に、中央部が膨出され、左端部と右端部が夫々やや膨出された半球形状をなし、中央部と左端部の間に括れ部を有し、中央部と右端部の間に括れ部を有し、
内袋が、中央部が広く中央部から延伸された左端部と右端部が夫々半円状をなす内袋上部シートと、該内袋上部シートと対称形に構成された内袋下部シートと、内袋上部シートと内袋下部シートの中間に配される眼形状の内袋中央シートの３部材からなり、
内袋中央シートの上辺が内袋上部シートの正面辺に縫着され、内袋中央シートの下辺が内袋下部シートの正面辺に縫着され、
内袋上部シートの内袋中央シートに縫着されていない辺が内袋下部シートの内袋中央シートに縫着されていない辺に縫着されて全体が一体の袋状となり、内部にクッション材が充填され、
外袋が、中央部が広く中央部から延伸された左端部と右端部が夫々半円状をなす外袋上部シートと、該外袋上部シートと対称形に構成された外袋下部シートと、外袋上部シートと外袋下部シートの中間に配される眼形状の外袋中央シートの３部材からなり、
外袋中央シートの上辺が外袋上部シートの正面辺に縫着され、外袋中央シートの下辺が外袋下部シートの正面辺に縫着され、
外袋上部シートの外袋中央シートに縫着されていない辺の一部が外袋下部シートの外袋中央シートに縫着されていない辺の一部に縫着されて全体が一体の袋状となり、
外袋上部シートの外袋中央シートにも外袋下部シートにも縫着されていない辺と外袋下部シートの外袋中央シートにも外袋上部シートにも縫着されていない辺が夫々相対する位置にあってこの部分に外袋開閉手段が設けられ、
外袋の左端部と右端部の夫々に該両端部を連結するための長さ可変且つ着脱自在の連結手段を装着するための連結手段装着部が設けられ、
外袋の一部に左端部と右端部を連結するための連結手段を格納するための連結手段格納部が設けられ、
クッション材が、直径が１ｍｍ以下の合成樹脂製の複数のビーズの集積体であることを特徴とする汎用クッション。
＜解決手段２＞
外袋の左端部の連結手段装着部に連結手段の左端が装着され、外袋の右端部の連結手段装着部に連結手段の右端が装着されることにより、外袋の左端部と右端部が連結された状態となっていることを特徴とする解決手段１に記載の汎用クッション。
＜解決手段３＞
外袋開閉手段がファスナであり、連結手段装着部が紐状ループ部材であり、連結手段格納部が外袋の一部に設けられたポケットであることを特徴とする解決手段１に記載の汎用クッション。
＜解決手段４＞
外袋開閉手段がファスナであり、連結手段装着部が紐状ループ部材であり、連結手段格納部が外袋の一部に設けられたポケットであり、長さ可変且つ着脱自在の連結手段が、複数のホック部材が縫着されたゴム入りバンドであることを特徴とする解決手段２に記載の汎用クッション。
【考案の効果】
【００１９】
本考案の解決手段２あるいは解決手段４の考案によれば、ビーズの集積体が充填される内袋が、汎用クッションが授乳用クッションとして用いられた際に母親の腹部に当接する部分が、内袋上部シート、内袋下部シートとは別体の内袋中央シートとして構成されている。したがって、この部分が母親の腹部に当接されることにより、通常は膨出している内袋中央シートが母親の腹部に押圧されて平板に近い形となり、その分、汎用クッションの中央部が上下に盛り上がる形となり、クッション材がビーズの集積体であるので、この形状変化は極めて自然にかつ十全に行われ、汎用クッションの中央部上面には自然な膨出部分が形成される。したがって、この膨出部分に乳幼児を載置することにより、母親が乳幼児の体躯を両手で持ち上げなくても、自然に乳幼児の顔が母親の乳房に当接する位置となり、授乳行為が極めて楽に行える。なお、外袋においても内袋と同様の縫製となっているので、外袋も内袋と全く同じように変形する。
【００２０】
本考案の解決手段１あるいは解決手段３の汎用クッションを、抱き枕として使用する際には、授乳用クッションとして使用する場合に存在していた母親の腹部による押圧が無くなるので、内袋中央シート、外袋中央シート共に正面側に膨出する通常の形状となり、全体の形状が弧状の棒体に近くなるので、抱き枕として適切に使用することが可能である。この際、汎用クッションの左右両端部はやや膨らんだ半球形状をなすので、一端部を両足の間に挟み込んだり、一端部に頭を載置したりと、自由に用いることができる。また、内袋中央シート、外袋中央シートの膨出部分が使用者の腹部に当接するので、特に妊婦においては、快適な使用感を得ることができる。
【００２１】
本考案の解決手段１あるいは解決手段３の汎用クッションを、例えば乳幼児用クッションとして使用する場合には、乳幼児を汎用クッションの中央部の内袋中央シート、外袋中央シートの位置に座らせると、ビーズの集積体の作用で膨出部分が乳幼児の臀部に押圧されて自然に凹み、乳幼児は快適に座ることができる。また、中央部の膨出は自然に維持されるので、乳幼児の背中を適切に支持できる。
【００２２】
この際、仮に、汎用クッションの中央部に内袋中央シート、外袋中央シートという構成がない場合を考えると、乳幼児の臀部は内袋上部シート、外袋上部シートの端部に位置することになり、内袋上部シート、外袋上部シートそのものを押圧して、全体形状の変化に無理が生じてしまう。これに対し、本考案にては、内袋中央シート、外袋中央シートという別構成の部材を押圧することによって、この部分が押圧によって変形しても、内袋上部シート、外袋上部シートに関する変形は最小限で済み、汎用クッション全体の形状安定性が向上する。
【００２３】
またこの際、弧状に湾曲した左右両端部が乳幼児を囲繞するように乳幼児の両側に配されるので、乳幼児の座位置に安定感が生じるのみならず、例えば乳幼児が左方に傾けば半球状の左端部が乳幼児の頭部を支え、乳幼児が右方に傾けば半球状の右端部が乳幼児の頭部を支えるというように、乳幼児の姿勢が変化しても、姿勢の変化に対応したクッションとしての役割を果たすことができる。
【００２４】
さらに、本考案の解決手段１あるいは解決手段３の汎用クッションは、通常の枕としても使用可能である。すなわち、例えばわが国では、子供を挟んで両親が子供の両脇に添い寝をする形態を「川の字」と呼称するが、子供が小さいときに良く行われるこのような家族の就寝形態においても、本考案の汎用クッションは、非常に効果的に作用する。
【００２５】
すなわち、両親が、夫々の頭部を本考案の解決手段１あるいは解決手段３の汎用クッションの左端部あるいは右端部に夫々載せて枕として用い、間に子供を寝かせることによって、自然に「川の字」の就寝形態を採ることができる。汎用クッションのサイズにもよるが、小サイズのもので、３人が就寝できない場合にも、両親が、汎用クッションの左右両端部を頭に当てて、中央に就寝する乳幼児を両側から見守る姿勢を取ることが可能である。
【００２６】
両親の枕が別々ではなく、本考案の汎用クッションの両端であるために、全体に自然な一体感が生まれることとなる。また、本考案の汎用クッションが乳幼児の頭部が上方に飛び出すことを防止する一種の防護柵の役割も果たし、乳幼児は、本考案の汎用クッションと父親及び母親の体躯にて形成される門型の防護柵様体に囲繞されて安全に就寝することができる。
【００２７】
上記以外にも、本考案の解決手段１あるいは解決手段３の汎用クッションは、様々な用い方が可能である。例えば、妊産婦の陣痛時に、中央部の膨出部分を腹部にあずけて楽な姿勢をとったり、あるいは乳幼児に添い寝をしながら授乳をする際に、乳幼児を中央部の膨出部分に寝かせて母親の頭部を左右両端部のどちらか一端に配してこれを枕とすることにより、ごく自然な添い寝の授乳形態を取ることができる。
【００２８】
このように、本考案の解決手段１〜解決手段４の汎用クッションは、本体の基本構成を全く変化させずに様々な用途に用いることができ、しかも夫々の用途において、十全の作用効果を有するものである。そして、そのような十全な汎用効果を生み出す基盤となっている構成は、次の５点に絞られるのである。
１）本体の全体形状を弧状形状とし、中央部を膨出させ、左右両端部をやや膨らんだ半球状とした点
２）中央部の形状変化の自由度を増すために、外袋も内袋も、上部シート、下部シート、中央シートの３枚構成とした点
３）クッション材に、直径１ｍｍ以下のビーズの集積体を用いた点
４）左右両端部を連結する連結部材を長さ可変且つ着脱自在とした点
５）本体から取り外した連結部材を収納する連結部材収納部を外袋に設けた点
【考案を実施するための最良の形態】
【００２９】
本考案を実施するための最良の形態を、以下に、図面を参照しながら詳細に説明する。
【実施例１】
【００３０】
＜実施例１の構成＞
図１は、連結手段であるゴム入りバンド５を装着した状態の本考案の実施例１の汎用クッションＰＣの外観斜視図、図２はゴム入りバンド５を取り去った本体１のみの状態の外観斜視図、図３ａは本体１の一部を切欠した正面図、図３ｂは本体１の背面図、図５ａは内袋２の一部を切欠した正面図、図５ｂは内袋２の背面図、図６は本体１の平面図、図７はゴム入りバンド５を装着した状態の汎用クッションＰＣの平面図、図９は同じくゴム入りバンド５を装着した状態の汎用クッションＰＣの正面図である。
【００３１】
本考案の実施例１の汎用クッションＰＣは、図１、図２、図３ａ、図３ｂに見るように、本体１の全体形状が弧状で、長手方向を水平面に平行に配置して、弧状の凹んでいる側を正面とした場合に、中央部１１が膨出され、左端部１２と右端部１３が夫々やや膨出された半球形状をなし、中央部１１と左端部１２の間に括れ部１４を有し、中央部１１と右端部１３の間に括れ部１５を有している。
【００３２】
５は本体１の左端部１２と右端部１３を連結する連結手段であるゴム入りバンドで、ゴム入りバンド５は、その左端を本体１の左端部１２の先端に縫着された連結手段装着部である紐状ループ部材４１に繋着され、右端を本体１の右端部１３の先端に縫着された連結手段装着部である紐状ループ部材４２に繋着されて、本体１の左端部１２と右端部１３を連結している（図１、図７参照）。
【００３３】
本体１にゴム入りバンド５を装着した状態である図１あるいは図７あるいは図９と、本体１からゴム入りバンド５を取り去った状態である図２あるいは図６あるいは図３ａを比較すると明らかなように、本体１はゴム入りバンド５にて左端部１２と右端部１３を連結されることによって全体の弧状形状の曲率が大となり、汎用クッションＰＣの全体形状は、本体１とゴム入りバンド５を含めた状態で、円形状あるいは環状となる。
【００３４】
本体１は、図３ａ、図３ｂに示すように、内袋２と内袋２を被覆する外袋３からなり、内袋２の内部にはクッション材であるビーズの集積体６が充填されている。内袋２と外袋３は伸縮性に富む布地から成り、ビーズの集積体６は、直径１ｍｍ以下の合成樹脂性のビーズを多数内袋２内に充填したものである。ビーズの集積体６は、中央部１１、左端部１２、右端部１３が十分に膨出されるまで充填される。
【００３５】
内袋２は、図５ａ、図５ｂに見るように、内袋上部シート２１と内袋下部シート２２と内袋中央シート２３が一体に縫製されて構成されている。内袋上部シート２１は、図６に見るように、中央部２１１が広く中央部２１１から延伸された左端部２１２と右端部２１３が夫々半円状をなしている。また、内袋下部シート２２は、内袋上部シート２１と対称形で、中央部２２１が広く中央部２２１から延伸された左端部２２２と右端部２２３が夫々半円状をなしている（図５ａ、図５ｂ参照）。
【００３６】
内袋上部シート２１と内袋下部シート２２の正面側の中間には、眼形状の内袋中央シート２３が配されており、図５ａに見るように、内袋中央シートの上辺２３ａが内袋上部シート２１の正面辺２１ａに縫着され、内袋中央シート２３の下辺２３ｂが内袋下部シート２２の正面辺２２ａに縫着され、内袋上部シート２１の内袋中央シート２３に縫着されていない辺２１ｂが内袋下部シート２２の内袋中央シート２３に縫着されていない辺２２ｂに縫着されて全体が一体の袋状となり、内部にクッション材としてビーズの集積体６が充填されている。
【００３７】
内袋２の全体を被覆する外袋３は、図３ａ、図３ｂに見るように、外袋上部シート３１と外袋下部シート３２と外袋中央シート３３が一体に縫製されて構成されている。外袋上部シート３１は、図６に見るように、中央部３１１が広く中央部３１１から延伸された左端部３１２と右端部３１３が夫々半円状をなしている。また、外袋下部シート３２は外袋上部シート３１と対称形で、中央部３２１が広く中央部３２１から延伸された左端部３２２と右端部３２３が夫々半円状をなしている（図３ａ、図３ｂ参照）。
【００３８】
外袋上部シート３１と外袋下部シート３２の正面側の中間には、眼形状の外袋中央シート３３が配されており、図３ａ、図３ｂに見るように、外袋中央シートの上辺３３ａが外袋上部シート３１の正面辺３１ａに縫着され、外袋中央シート３３の下辺３３ｂが外袋下部シート３２の正面辺３２ａに縫着され、外袋上部シート３１の外袋中央シート３３に縫着されていない辺３１ｂが外袋下部シート３２の外袋中央シート３３に縫着されていない辺３２ｂに縫着されて全体が一体の袋状となっている。
【００３９】
また、図３ｂに見るように、外袋上部シート３１の外袋中央シート３３にも外袋下部シート３２にも縫着されていない背面側の辺３１ｃと外袋下部シート３２の外袋中央シート３３にも外袋上部シート３１にも縫着されていない背面側の辺３２ｃが夫々相対する位置にあってこの部分に外袋開閉手段であるファスナＦが設けられ、外袋３はファスナＦにて開閉自在となっている。ファスナＦは、全開状態にて外袋３に被覆された内袋２を、ビーズの集積体６が充填されたままの状態にて脱抜できるだけの延長を有している。
【００４０】
また、図１、図２、図６に見るように、外袋３の左端部３Ｌと右端部３Ｒの夫々に両端部３Ｌ、３Ｒを連結するための長さ可変且つ着脱自在の連結手段であるゴム入りバンド５を装着するための連結手段装着部、すなわち紐状ループ部材４１、４２が縫着されている。紐状ループ部材４１は左端部３Ｌの先端部に、紐状ループ部材４２は右端部３Ｒの先端部に、夫々縫着されている。
【００４１】
また、外袋３の右端部３Ｒの先端部には、左端部３Ｌと右端部３Ｒを連結するための連結手段であるゴム入りバンド５を不使用時に本体１に格納するための連結手段格納部、すなわち紐状ループ部材４１、４２からゴム入りバンド５を取り外して格納するための連結手段格納部であるポケット７が設けられている。
【００４２】
ポケット７は、実施例１にては、図４に見るように、外袋上部シート３１の裏面と外袋下部シート３２の裏面に布７１を縫着して空間Ｓを設けることによって構成されている。したがって、この部分の外袋上部シート３１の辺３１ｂと外袋下部シート３２の辺３２ｂは縫着されておらず、ポケット７の挿入口７２を構成している。図４にては、空間Ｓに折り畳んだ状態のゴム入りバンド５を格納した状態を示している。なお、ｓｓは縫着部分を表す。
【００４３】
また、ポケット７に格納されたゴム入りバンド５の押圧力５Ｆは専らビーズの集積体６の方に吸収されるので、ゴム入りバンド５の格納によって外袋上部シート３１あるいは外袋下部シート３２が膨出されるという事態にはならない。これは、外袋上部シート３１あるいは外袋下部シート３２を構成している布の張力が強く、また、クッション材がビーズの集積体６であるので、ビーズの集積体６が押圧力５Ｆによって容易に移動させられるという特性による効果である。もしクッション材がビーズの集積体６ではなく、ウレタンフォームのような固形材料であれば、やはり外袋上部シート３１あるいは外袋下部シート３２の膨出は回避できないが、クッション材がビーズの集積体６であるゆえに、汎用クッションＰＣの外形形状には殆ど影響が生じない。
【００４４】
ポケット７は、上記のように外袋３の右端部３Ｒの先端部に設けても良いし、あるいは外袋３の左端部３Ｌの先端部に設けても良い。さらには、全く別の場所に設けても良い。要するに、ゴム入りバンド５を簡単に格納でき、さらに、授乳用クッションとして用いたときには無論のこと、抱き枕や乳幼児用クッションなど、授乳用クッション以外の用途に汎用クッションＰＣを用いたときにでも、当該の用途に邪魔にならない場所であれば、どこに設けてもかまわない。
【００４５】
図１７、図１８に、ゴム入りバンド５の詳細を示す。ゴム入りバンド５は、細長い平袋状の本体５１の両端部を除いた部分に平板状の平織りゴムテープＧが封入されていて、全体が長手方向に伸縮自在に構成されている。ゴム入りバンド５の左端近傍にはホックＨ１が、右端近傍にはホックＨ２が、中央にはホックＨ３が、左端にはホックＨ４が、右端にはホックＨ５が、夫々固着されている。ホックＨ１、Ｈ２、Ｈ３は図１８に明らかなように雌型であり、ホックＨ４、Ｈ５は雄型である。
【００４６】
ゴム入りバンド５の本体５１の左端を折り返してホックＨ１にホックＨ４を嵌合させ、本体５１の右端を折り返してホックＨ２にホックＨ５を嵌合させると、図１に示すような状態のゴム入りバンド５となる。これに対し、左端をホックＨ１の右側で折り返してホックＨ３にホックＨ４を嵌合させ、右端を折り返してホックＨ２にホックＨ５を嵌合させると、ゴム入りバンド５の本体５１の長さはさらに短くなる。また、右端をホックＨ２の左側で折り返してホックＨ３にホックＨ５を嵌合させ、左端を折り返してホックＨ１にホックＨ４を嵌合させても、同様に短くなる。ゴムテープＧの伸縮範囲を上回る長さの調節は、このようにホックＨ１〜Ｈ５の嵌合状態を変化させることによって行われる。
【００４７】
なお、実施例１にては連結手段としてゴム入りバンド５を用いたが、連結手段はこれに限定されるものではなく、他にも、面ファスナーを用いたり、バックル付きベルトとしたり、紐で自由な長さに結ぶ等、各種の手段が考えられるのは当然のことである。要は、長さが可変であり且つ本体に着脱自在の状態にある連結手段であれば、すべてが本考案の範囲に含まれるものであるのは言うまでもない。
【００４８】
＜実施例１の作用＞
実施例１の汎用クッションＰＣを、図１１に見るように、授乳用クッションとして用いる場合には図１に見るように、本体１の左端部１２の紐状ループ部材４１にゴム入りバンド５の左端を挿通してホックＨ１とホックＨ４（図１７参照）を嵌合させ、さらに本体１の右端部１３の紐状ループ部材４２にゴム入りバンド５の右端を挿通してホックＨ２とホックＨ５を嵌合させ、これにより左端部１２と右端部１３が連結された状態にて用いる。
【００４９】
この場合、汎用クッションＰＣを巻回させる母親ＭＴの腰部ＷＳ（図１０参照）のサイズによっては、ゴム入りバンド５の長さを調節しなければならない。ある程度の長さの調節は、ゴム入りバンド５の本体５１内に封入された平板状の平織りゴムテープＧの伸縮によって行われるが、ゴムテープＧの伸縮範囲を越えた長さの調節は、ホックＨ１〜Ｈ５の嵌合状態を変化させることによって行われる。この次第は、上に述べたとおりである。
【００５０】
ゴム入りバンド５の長さが適宜調節されれば、母親ＭＴは乳幼児ＢＢの体躯を汎用クッションＰＣの本体１の中央部１１の上面に載置する。すると、汎用クッションＰＣの本体１の中央部１１が母親ＭＴの腰部ＷＳ（図８参照）に押圧されて上下方向に膨出されているので（図９、図１０参照）、図１１に見るように、乳幼児ＢＢの頭部ＢＨは持ち上げられて、丁度母親ＭＴの乳房に顔ＢＦが当接する位置となる。
【００５１】
この際の、中央部１１の形状変化を、図７〜図１０によって説明する。図７は、本体１の左端部１２と右端部１３がゴム入りバンド５にて連結された状態の汎用クッションＰＣの平面図である。連結によって、汎用クッションＰＣ全体は環状となるが、中心の空洞部ＨＬには何も入っていない状態であるので、中央部１１の正面側に配される外袋中央シート３３（及び内袋中央シート２３）は極く自然に正面側に膨出され、空洞部ＨＬは中央部１１の正面側の膨出部分に相対する部分が凹型となる。
【００５２】
しかるに、母親ＭＴが汎用クッションＰＣを腰部ＷＳに巻回させて左端部１２と右端部１３を連結した場合（図８参照）には、空洞部ＨＬに嵌まりこんだ母親ＭＴの腰部ＷＳに押圧されて、中央部１１の正面方向の膨出が背面方向に退行させられ、空洞部ＨＬに生じていた凹型は消失して、空洞部ＨＬは母親ＭＴの腰部ＷＳの横断面に順ずる形状（略楕円形状）となる。
【００５３】
この状態を、正面から見たのが図１０である。これに対し、母親ＭＴが装着していない状態を正面から見た状態を、図９に示す。図１０においては、汎用クッションＰＣの中央部１１の正面が母親ＭＴの腰部ＷＳに押圧されて背面側に退行する分、上下方向への膨出が大きくなり、結果として、中央部１１の上面は上方向に膨出する。すなわち、中央部１１の厚さは、ｄ１（図９）からｄ２（図１０）に変化する（ｄ１＜ｄ２）。また、外袋中央シート３３（及び内袋中央シート２３）の中央部の高さもｈ１からｈ２に変化する（ｈ１＜ｈ２）。
【００５４】
このような形状変化は、内袋２内に充填されているクッション材がビーズの集積体６であることによる。しかしながら、以前にも述べたように、クッション材をビーズの集積体６としたのみでは、十分な形状変化は得られない。なぜならば、例えば内袋２が内袋上部シート２１と内袋下部シート２２のみからなり、外袋３が外袋上部シート３１と外袋下部シート３２のみからなっていた場合、中央部１１を図９のような状態に膨出させること自体が無理となる。
【００５５】
素材に伸縮性に富む布地を用いたとしても、２枚の布地にて中央部１１と括れ部１４、１５、左端部１２と右端部１３を図６のような形状になるように構成するのは無理で、中央部１１の膨出がはるかに貧弱な、全体形状が棒状あるいは円筒形状に近いものにしかならず、中央部１１に、図６に見るように、ビーズの集積体６を大量に集積させた結果として得られる膨出状態を形成することができない。
【００５６】
図１０に見る中央部１１の上下方向の膨出は、中央部１１にビーズの集積体６を大量に集積させることによって、はじめて齎されるものであり、中央部１１に、外袋中央シート３３と内袋中央シート２３という３枚目の布地を配することによって、そのような構成が可能となったのである。したがって、外袋中央シート３３及び内袋中央シート２３は、ビーズの集積体６の有する形態変化における高い自由度という特性を十分に活かすことのできる構成となっているのである。
【００５７】
また、外袋３にとっても内袋２にとっても３枚目の布地である外袋中央シート３３及び内袋中央シート２３が、母親ＭＴの腰部ＷＳの、特に腹部ＡＢに当接する正面側に設けられているという点にも大きな意味がある。これは、縫製線が母親ＭＴの腹部ＡＢ（図８参照）に直接当たらないということだけではなく、母親の腹部ＡＢからの押圧力が、外袋中央シート３３及び内袋中央シート２３の中央部の高さを増加させるために略使われて、外袋上部シート３１、外袋下部シート３２、内袋上部シート２１、内袋下部シート２２にはあまり変形を生じないようにするという重要な役割を果たしている。
【００５８】
外袋中央シート３３及び内袋中央シート２３という構成を欠いてしまうと、母親の腹部ＡＢからの押圧力は直接外袋上部シート３１、外袋下部シート３２、内袋上部シート２１、内袋下部シート２２を変形させる方向に働き、中央部１１は確かにある程度は上下方向に膨出されるが、その分、前後方向の厚さが非常に薄くなり、中央部１１の中央上面に乳幼児ＢＢを載置する際に、十分な安定感が得られなくなってしまうし、また乳幼児ＢＢの荷重にて中央部１１の盛り上がりが維持できなくなる。しかるに、外袋中央シート３３及び内袋中央シート２３という構成が中央部１１の正面に配されていることにより、中央部１１の前後方向の厚さがあまり薄くならず、この部分におけるビーズの集積体６の量も十分に確保される結果、中央部１１の中央上面も、乳幼児ＢＢを載置するための台部として、十分に安定的な働きをなすことができるのである。
【００５９】
次に、図１２には、汎用クッションＰＣを抱き枕として使用している状態を示す。この場合には、ゴム入りバンド５を取り外してポケット７（図１、図４参照）に格納し、汎用クッションＰＣを図２の状態として使用する。この際には、図４に見るように、ゴム入りバンド５の押圧力５Ｆは、前述のようにビーズの集積体６の方に吸収されるので、ポケット７が外側に膨らむことはない。使用者Ｕは、中央部１１を腹部ＡＢに当接させるが、図１２においては、使用者Ｕを妊婦として描いているため、腹部ＡＢが膨出されている。中央部１１は腹部ＡＢに当接するが、クッション材であるビーズの集積体６が適度に変形するので、極めて快適な使用感を覚えることができる。
【００６０】
使用者Ｕは、汎用クッションの中央部１１の右寄りの部分を抱き抱え、頭部ＵＨを右端部１３に載置し、左端部１２を両腿ＴＨの間に挟みこむ。こうすることにより、汎用クッションＰＣは使用者Ｕに対して固定され、安定的に使用することができる。なお、頭部ＵＨを右端部１３に載置し、左端部１２を両腿ＴＨの間に挟みこむという姿勢は、中央部１１と左端部１２の間に括れ部１４が配置され、中央部１１と右端部１３の間に括れ部１５が配置されるという構成によって、無理なく齎されることとなる。
【００６１】
すなわち、括れ部１４が中央部１１と左端部１２を回動可能に連結する蝶番の働きをなし、括れ部１５が中央部１１と右端部１３を回動可能に連結する蝶番の働きをなすことにより、使用者Ｕは、左端部１２と右端部１３を、中央部１１に対して、一定の範囲で好みの角度に楽に回動させることができる。これにより、使用者Ｕは自らの身長や体形に合わせて左端部１２と右端部１３を回動させ、最も適合する位置にて頭部ＵＨを載置し、あるいは両腿ＴＨの間に挟みこむことにより、その状態を固定することができるのである。そしてまた、クッション材がビーズの集積体６であることにより、変形状態がある程度保持されるので、使用者Ｕは安定的に汎用クッションＰＣを使用し続けることができる。
【００６２】
次に、図１３にては、使用者Ｕが、陣痛や腹痛の際に、汎用クッションＰＣの中央部１１を、腹部ＡＢに柔らかく当接させて楽な姿勢を取り、精神的に安定感を得ている状態を表す。この場合には、中央部１１の正面側ではなくて背面側を腹部ＡＢに柔らかく当接させる。このようにすることにより、左端部１２は使用者Ｕの体躯とは逆側に垂下される状態となるので、左端部１２が邪魔にならない。なお、左端部１２は、充填されているビーズの集積体６の重量及び括れ部１４が有する蝶番作用により、自然に図１３に示すような状態となる。
【００６３】
このように、苦しいときに身体を汎用クッションＰＣにあずけるように軟らかく当接させることにより、楽な姿勢が取りやすくなる。例えば、図１３に示す姿勢を取ることにより、夫や助産婦さん等（図示せず）が使用者Ｕの背中や腰をさすりやすくなるし、それにより使用者Ｕの陣痛の際の精神的な痛みも軽減されることとなる。
【００６４】
次に、図１４にては、母親ＭＴが乳幼児ＢＢに、添い寝をしながら授乳を行う際に、汎用クッションＰＣを、乳幼児ＢＢのクッション兼自らの枕として用いている状態を示す。この際、乳幼児ＢＢは汎用クッションＰＣの中央部１１の正面側に寝かされ、母親ＭＴは右端部１３を枕とし、左端部１２を両腿ＴＨの間に挟みこんで授乳を行っている。
【００６５】
乳幼児ＢＢは、中央部１１の正面側に添うように寝かされているが、この部分には丁度外袋中央シート３３及び内袋中央シート２３が配置されており、乳幼児ＢＢの重量の殆どは外袋中央シート３３及び内袋中央シート２３にかかってくるので、中央部１１の形状変形は略外袋中央シート３３及び内袋中央シート２３のみにしか及ばず、中央部１１の全体形状は安定的に保持される。且つ、クッション材がビーズの集積体６であるので、中央部１１の正面側は乳幼児ＢＢの体躯に添うように自然に変形して、乳幼児ＢＢは違和感を覚えることなく図１４に示す姿勢を取り続けることができる。
【００６６】
また、図１２に示す抱き枕としての使用例と同様に、母親ＭＴが右端部１３を枕としてその上に頭部ＭＨを載置し、左端部１２を両腿ＴＨの間に挟みこんでいるので、汎用クッションＰＣ全体が安定的に固定され、したがって中央部１１の正面に載置されている乳幼児ＢＢも中央部１１に安定的に支えられ、母親ＭＴと乳幼児ＢＢの位置関係が安定するので、母親ＭＴは乳幼児ＢＢの体躯を支えることなく、楽な姿勢で授乳を続けることが可能である。
【００６７】
すなわち、弧状の汎用クッションＰＣと、それに対向するような弧状を呈する母親ＭＴの体躯が両側から乳幼児ＢＢを包みこむように支えるので、授乳の姿勢が非常に安定したものとなり、極めて楽に授乳行為を継続できるのである。なお、この際、左端部１２に対しては括れ部１４が、右端部１３に対しては括れ部１５が、夫々蝶番の役割を果たし、母親ＭＴの身長や体型によって左端部１２と右端部１３の位置を調整するために役立っていることは、抱き枕の項にて説明したとおりである。
【００６８】
次に、図１５にては、汎用クッションＰＣを、乳幼児用クッションとして使用している状態を示す。この場合には、乳幼児ＢＢの臀部ＨＰを中央部１１の正面側に載置させることにより、乳幼児ＢＢの脊部分は、中央部１１によって安定的に支えられる。また、左端部１２と右端部１３が、丁度椅子における肘掛のように乳幼児ＢＢの左右に張り出し、乳幼児ＢＢの体躯が例えば左に傾いた場合には左端部１２がこれを支え、乳幼児ＢＢの体躯が右に傾いた場合には右端部１３がこれを支える。このように、汎用クッションＰＣは乳幼児ＢＢの周囲を背後から囲繞するように配されるので、乳幼児ＢＢがいかような姿勢を取ろうとも、汎用クッションＰＣの各部分によって支えられ、実際上の安定感と共に、心理的にも乳幼児ＢＢに大きな安定感を与えるものである。
【００６９】
また、乳幼児ＢＢの臀部ＨＰが載置される中央部１１の正面は、外袋中央シート３３及び内袋中央シート２３が配されているので、この部分が乳幼児ＢＢの臀部ＨＰに押圧されて大きく変形しても、外袋上部シート３１、外袋下部シート３２、内袋上部シート２１、内袋下部シート２２には変形は余り及ばず、汎用クッションＰＣの全体形状は安定的に保持される。且つ、クッション材がビーズの集積体６であるところから、乳幼児ＢＢの臀部ＨＰが載置される部分にては自然な凹みが生じ、使用感が極めて良好である。
【００７０】
図１６には、汎用クッションＰＣを用いて、父親ＦＴと母親ＭＴと乳幼児ＢＢが、所謂「川の字」になって就寝している状態を示す。この際、父親ＦＴは左端部１２に頭部ＦＨを載置し、母親ＭＴは右端部１３に頭部ＭＨを載置し、父親ＦＴと母親ＭＴの中間に乳幼児ＢＢが寝かされている。このようにすることにより、父親ＦＴと母親ＭＴの距離は一定に保たれ、且つ又、一つの汎用クッションＰＣを使用するので、自然な一体感が生じる。また、乳幼児の頭部ＢＨ近傍に汎用クッションＰＣの中央部１１が位置していて、乳幼児ＢＢが就寝中に頭部ＢＨ側に飛び出すのを防止する、一種の防護柵の役割も果たしている。
【００７１】
すなわち、乳幼児ＢＢは左側を父親ＦＴに、また右側を母親ＭＴに、さらに頭部ＢＨ側を汎用クッションＰＣの中央部１１に、夫々防護囲繞されているので、両親が就寝中にても極めて安全に保護されることができる。父親ＦＴの頭部ＦＨが左端部１２から外れる、あるいは母親ＭＴの頭部ＭＨが右端部１３から外れるという事態が生じれば、父親ＦＴあるいは母親ＭＴはすぐにそのことに気づいて姿勢を直すので、乳幼児ＢＢを囲繞する防護状態は、非常に安定的に保持される。
【００７２】
なお、汎用クッションＰＣのサイズによっては、両親が就寝するという状態に至ることができない場合も当然考えられる。すなわち、左端部１２と右端部１３の距離が近い場合には、両親が就寝してしまうと寝返りなどで中央の乳幼児ＢＢの上にかぶさるおそれがある場合などであるが、こういう場合には、両親が左端部１２と右端部１３を夫々枕として中央の乳幼児ＢＢを両側から囲み、見守るだけでも、家族の一体感が生まれ、また、乳幼児ＢＢにとっては汎用クッションＰＣと両親によって安定した防護状態が生まれることとなる。
【産業上の利用可能性】
【００７３】
本考案の汎用クッションは、本来の意味での汎用性を有するクッションであって、授乳用クッション、抱き枕、乳幼児用クッションといった各種形態での使用において、その使用目的に的確に応じた作用効果を果たすことができるものであり、従来の汎用を謳う各種製品においてどうしてもぬぐい去ることができなかった、いずれの用途にても中途半端な作用効果しか持ち得ないという性格とは全く無縁のものである。
【００７４】
本考案の汎用クッションは、妊娠から出産、そして子育てという、女性の生涯における非常に重要な時期に焦点を合わせ、上記いずれの時期においても、母親と乳幼児（と父親）のライフスタイルに合わせて、いろいろな用途に、的確に使用できるようにその構成を綿密に考えて開発したものである。したがって、本体の基本構成は非常に単純なものであるにもかかわらず、妊娠から出産、そして子育てという変転する場面にきめ細かに対応して、妊婦、そして母親と子供の生活を支えてくれる重要な生活道具となるものであり、世に、幅広く受け入れられるものであると確信する次第である。
【図面の簡単な説明】
【００７５】
【図１】本考案の実施例１の汎用クッションの左端部と右端部を連結した状態の外観斜視図である。
【図２】本考案の実施例１の汎用クッションの左端部と右端部を連結しない状態の外観斜視図である。
【図３】（ａ）本考案の実施例１の汎用クッションの左端部と右端部を連結しない状態の一部を切欠した正面図である。（ｂ）本考案の実施例１の汎用クッションの左端部と右端部を連結しない状態の背面図である。
【図４】図３ａのＡ−Ａ線縦断面図である。
【図５】（ａ）本考案の実施例１の汎用クッションの内袋の一部を切欠した正面図である。（ｂ）本考案の実施例１の汎用クッションの内袋の背面図である。
【図６】本考案の実施例１の汎用クッションの左端部と右端部を連結しない状態の平面図である。
【図７】本考案の実施例１の汎用クッションの左端部と右端部を連結した状態の平面図である。
【図８】本考案の実施例１の汎用クッションの作用を説明する説明図である。
【図９】本考案の実施例１の汎用クッションの左端部と右端部を連結した状態の正面図である。
【図１０】本考案の実施例１の汎用クッションの作用を説明する説明図である。
【図１１】本考案の実施例１の汎用クッションの作用を説明する説明図である。
【図１２】本考案の実施例１の汎用クッションの作用を説明する説明図である。
【図１３】本考案の実施例１の汎用クッションの作用を説明する説明図である。
【図１４】本考案の実施例１の汎用クッションの作用を説明する説明図である。
【図１５】本考案の実施例１の汎用クッションの作用を説明する説明図である。
【図１６】本考案の実施例１の汎用クッションの作用を説明する説明図である。
【図１７】本考案の実施例１の汎用クッションの連結部材であるゴム入りバンドを上方から見た外観斜視図である。
【図１８】本考案の実施例１の汎用クッションの連結部材であるゴム入りバンドを下方から見た外観斜視図である。
【符号の説明】
【００７６】
１        本体
１１      中央部
１２      左端部
１３      右端部
１４      括れ部
１５      括れ部
２        内袋
２１      内袋上部シート
２１ａ    正面辺
２１ｂ    辺
２１１    中央部
２１２    左端部
２１３    右端部
２２      内袋下部シート
２２ａ    正面辺
２２ｂ    辺
２２１    中央部
２２２    左端部
２２３    右端部
２３      内袋中央シート
２３ａ    上辺
２３ｂ    下辺
３        外袋
３１      外袋上部シート
３１ ａ    正面辺
３１ｂ    辺
３１ｃ    辺
３１１    中央部
３１２    左端部
３１３    右端部
３２      外袋下部シート
３２ａ    正面辺
３２ｂ    辺
３２ｃ    辺
３２１    中央部
３２２    左端部
３２３    右端部
３３      外袋中央シート
３３ａ    上辺
３３ｂ    下辺
３Ｌ      左端部
３Ｒ      右端部
４１      紐状ループ部材
４２      紐状ループ部材
５        ゴム入りバンド
５１      本体
５Ｆ      押圧力
６        ビーズの集積体
７        ポケット
７１      布
７２      挿入口
ＡＢ      腹部
ＢＢ      乳幼児
ＢＦ      顔
ＢＨ      頭部
Ｆ        ファスナ
ＦＨ      頭部
ＦＴ      父親
Ｇ        ゴムテープ
Ｈ１      ホック
Ｈ２      ホック
Ｈ３      ホック
Ｈ４      ホック
Ｈ５      ホック
ＨＬ      空洞部
ＨＰ      臀部
ＭＴ      母親
ＭＨ      頭部
ＰＣ      汎用クッション
Ｓ        空間
ＴＨ      両腿
Ｕ        使用者
ＵＨ      頭部
ＷＳ      腰部
ｄ１      厚さ
ｄ２      厚さ
ｈ１      高さ
ｈ２      高さ
ｓｓ      縫着部分
【図１】
0003149141.tif 000003
【図２】
0003149141.tif 000004
【図３】
0003149141.tif 000005
【図４】
0003149141.tif 000006
【図５】
0003149141.tif 000007
【図６】
0003149141.tif 000008
【図７】
0003149141.tif 000009
【図８】
0003149141.tif 000010
【図９】
0003149141.tif 000011
【図１０】
0003149141.tif 000012
【図１１】
0003149141.tif 000013
【図１２】
0003149141.tif 000014
【図１３】
0003149141.tif 000015
【図１４】
0003149141.tif 000016
【図１５】
0003149141.tif 000017
【図１６】
0003149141.tif 000018
【図１７】
0003149141.tif 000019
【図１８】
0003149141.tif 000020